(57)【要約】【課題】チャネル情報を圧縮して受信機から送信機へフィードバックするときのフィードバック情報量を調節することを図る。【解決手段】通信チャネルの状態を表すチャネル情報を圧縮して受信機から送信機へフィードバックするときのフィードバック情報量Ａを調節するチャネル情報圧縮部３０であり、受信機が送信機から送信されたデータを受信して取得した通信品質値Ｄと、フィードバック情報量Ａとの対応関係を求める分析部３１と、該対応関係を記憶するメモリ３３と、該対応関係に基づいてフィードバック情報量Ａを更新するフィードバック情報量決定部３２と、を備える。【選択図】図２
2011171847.tif 000002
【特許請求の範囲】
【請求項１】
通信チャネルの状態を表すチャネル情報を圧縮して受信機から送信機へフィードバックするときのフィードバック情報量を調節するチャネル情報圧縮制御装置であり、
前記受信機が前記送信機から送信されたデータを受信して取得した通信品質値と、前記フィードバック情報量との対応関係を求める分析部と、
前記対応関係を記憶する記憶部と、
前記対応関係に基づいて、前記フィードバック情報量を更新するフィードバック情報量決定部と、
を備えたことを特徴とするチャネル情報圧縮制御装置。
【請求項２】
前記フィードバック情報量決定部は、前記通信品質値の飽和点に対応する前記フィードバック情報量を求めることを特徴とする請求項１に記載のチャネル情報圧縮制御装置。
【請求項３】
前記フィードバック情報量決定部は、通信品質の要求値を満たす最小の前記フィードバック情報量を求めることを特徴とする請求項１に記載のチャネル情報圧縮制御装置。
【請求項４】
前記フィードバック情報量決定部は前記送信機及び前記受信機の通信準備段階として前記対応関係に係る測定用のフィードバック情報量を決定し、前記分析部は前記送信機及び前記受信機の通信実績に基づいて前記対応関係を更新し、
更新前後の前記対応関係の差が基準以上である場合に前記通信準備段階として前記対応関係に係る測定を行うことを特徴とする請求項１から３のいずれか１項に記載のチャネル情報圧縮制御装置。
【請求項５】
請求項１から４のいずれか１項に記載のチャネル情報圧縮制御装置を備え、
前記チャネル情報圧縮制御装置で決定されたフィードバック情報量に基づいて、通信チャネルの状態を表すチャネル情報を圧縮して送信機へフィードバックすることを特徴とする受信機。
【請求項６】
通信チャネルの状態を表すチャネル情報を圧縮して受信機から送信機へフィードバックするときのフィードバック情報量を調節するチャネル情報圧縮制御方法であり、
前記受信機が、前記送信機から送信されたデータを受信して取得した通信品質値と、前記フィードバック情報量との対応関係を求めるステップと、
前記受信機が、前記対応関係を記憶部に記憶するステップと、
前記受信機が、前記対応関係に基づいて、前記フィードバック情報量を更新するステップと、
を含むことを特徴とするチャネル情報圧縮制御方法。
【請求項７】
通信チャネルの状態を表すチャネル情報を圧縮して受信機から送信機へフィードバックするときのフィードバック情報量を調節するチャネル情報圧縮制御処理を行うためのコンピュータプログラムであって、
前記受信機が前記送信機から送信されたデータを受信して取得した通信品質値と、前記フィードバック情報量との対応関係を求めるステップと、
前記対応関係を記憶部に記憶するステップと、
前記対応関係に基づいて、前記フィードバック情報量を更新するステップと、
をコンピュータに実行させるためのコンピュータプログラム。
【発明の詳細な説明】
【技術分野】
【０００１】
本発明は、チャネル情報圧縮制御装置、チャネル情報圧縮制御方法、受信機及びコンピュータプログラムに関する。
【背景技術】
【０００２】
次世代の無線通信システムにおいては、ＭＩＭＯ（Multiple Input Multiple Output）システムを採用することが検討されている。ＭＩＭＯシステムでは、送信機が送信データに対して信号伝送路（通信チャネル）の状態を表すチャネル情報（ＣＳＩ：Channel State Information）に基づいたプリコーディング（Precoding）を行うことにより、プリコーディングを行わない場合に比べて周波数利用効率を向上できることが知られている（例えば、特許文献１参照）。
【０００３】
また、ＦＤＤ（Frequency Division Duplex）の場合、一般的にチャネル情報は受信機で取得されるが、そのチャネル情報に基づいて送信データのプリコーディングを行う方法として、例えば特許文献２が知られている。特許文献２では、複数のプリコーダー（Precoder）のインデックス（Index）を有するコードブック（Codebook）を送信機と受信機で共有し、受信機が取得したチャネル情報に応じたプリコーダーのインデックスを送信機へ送信し、送信機が該インデックスのプリコーダーを使用する。
【先行技術文献】
【特許文献】
【０００４】
【特許文献１】特開２００５−０３９８４０号公報
【特許文献２】特開２００９−１７１１５５号公報
【発明の概要】
【発明が解決しようとする課題】
【０００５】
しかし、送信機から受信機へチャネル情報をそのまま送信する場合、送信情報量が多いため、その情報送信に使用する無線リソース量が多くなる。一方、特許文献２では、受信機から送信機へ送る情報量を削減できるが、コードブックで表すことのできるプリコーダーの種類が限られるので、受信機で得られたチャネル情報に的確なプリコーダーがない場合にはプリコーディング効果が薄れる。
【０００６】
このような課題を解決するために、チャネル情報を適切に圧縮して受信機から送信機へフィードバックすることが考えられるが、そのフィードバック情報量を調節することが課題である。
【０００７】
本発明は、このような事情を考慮してなされたもので、チャネル情報を圧縮して受信機から送信機へフィードバックするときのフィードバック情報量を調節することができるチャネル情報圧縮制御装置、チャネル情報圧縮制御方法、受信機及びコンピュータプログラムを提供することを課題とする。
【課題を解決するための手段】
【０００８】
上記の課題を解決するために、本発明に係るチャネル情報圧縮制御装置は、通信チャネルの状態を表すチャネル情報を圧縮して受信機から送信機へフィードバックするときのフィードバック情報量を調節するチャネル情報圧縮制御装置であり、前記受信機が前記送信機から送信されたデータを受信して取得した通信品質値と、前記フィードバック情報量との対応関係を求める分析部と、前記対応関係を記憶する記憶部と、前記対応関係に基づいて、前記フィードバック情報量を更新するフィードバック情報量決定部と、を備えたことを特徴とする。
【０００９】
本発明に係るチャネル情報圧縮制御装置において、前記フィードバック情報量決定部は、前記通信品質値の飽和点に対応する前記フィードバック情報量を求めることを特徴とする。
本発明に係るチャネル情報圧縮制御装置において、前記フィードバック情報量決定部は、通信品質の要求値を満たす最小の前記フィードバック情報量を求めることを特徴とする。
【００１０】
本発明に係るチャネル情報圧縮制御装置において、前記フィードバック情報量決定部は前記送信機及び前記受信機の通信準備段階として前記対応関係に係る測定用のフィードバック情報量を決定し、前記分析部は前記送信機及び前記受信機の通信実績に基づいて前記対応関係を更新し、更新前後の前記対応関係の差が基準以上である場合に前記通信準備段階として前記対応関係に係る測定を行うことを特徴とする。
【００１１】
本発明に係る受信機は、前述のいずれかのチャネル情報圧縮制御装置を備え、前記チャネル情報圧縮制御装置で決定されたフィードバック情報量に基づいて、通信チャネルの状態を表すチャネル情報を圧縮して送信機へフィードバックすることを特徴とする。
【００１２】
本発明に係るチャネル情報圧縮制御方法は、通信チャネルの状態を表すチャネル情報を圧縮して受信機から送信機へフィードバックするときのフィードバック情報量を調節するチャネル情報圧縮制御方法であり、前記受信機が、前記送信機から送信されたデータを受信して取得した通信品質値と、前記フィードバック情報量との対応関係を求めるステップと、前記受信機が、前記対応関係を記憶部に記憶するステップと、前記受信機が、前記対応関係に基づいて、前記フィードバック情報量を更新するステップと、を含むことを特徴とする。
【００１３】
本発明に係るコンピュータプログラムは、通信チャネルの状態を表すチャネル情報を圧縮して受信機から送信機へフィードバックするときのフィードバック情報量を調節するチャネル情報圧縮制御処理を行うためのコンピュータプログラムであって、前記受信機が前記送信機から送信されたデータを受信して取得した通信品質値と、前記フィードバック情報量との対応関係を求めるステップと、前記対応関係を記憶部に記憶するステップと、前記対応関係に基づいて、前記フィードバック情報量を更新するステップと、をコンピュータに実行させるためのコンピュータプログラムであることを特徴とする。
これにより、前述のチャネル情報圧縮制御装置がコンピュータを利用して実現できるようになる。
【発明の効果】
【００１４】
本発明によれば、チャネル情報を圧縮して受信機から送信機へフィードバックするときのフィードバック情報量を調節することができる。
【図面の簡単な説明】
【００１５】
【図１】本発明の一実施形態に係る無線通信システムの構成を示す概略構成図である。
【図２】本発明に係るチャネル情報圧縮制御部３０の実施例１である。
【図３】同実施例１に係る通信品質値Ｄとフィードバック情報量Ａとの対応関係のグラフ図である。
【図４】同実施例１に係るチャネル情報圧縮制御処理の流れを示すフローチャートである。
【図５】本発明に係るチャネル情報圧縮制御部３０の実施例２である。
【図６】同実施例２に係る通信品質値Ｄとフィードバック情報量Ａとの対応関係のグラフ図である。
【発明を実施するための形態】
【００１６】
以下、図面を参照し、本発明の実施形態について説明する。
図１は、本発明の一実施形態に係る無線通信システムの構成を示す概略構成図である。この無線通信システムは、ＭＩＭＯ送信機１とＭＩＭＯ受信機２を有し、ＭＩＭＯ送信機１からＭＩＭＯ受信機２へＭＩＭＯ伝送を行う。
【００１７】
図１において、ＭＩＭＯ送信機１は、プリコーディング部１１と送信部１２と制御情報受信部１３とチャネル情報展開部１４を有する。プリコーディング部１１は、チャネル情報（ＣＳＩ）を用いて送信データのプリコーディングを行う。送信部１２は、複数の送信アンテナを有し、プリコーディングされた送信データを複数の送信アンテナから送信する。制御情報受信部１３は、ＭＩＭＯ受信機２から制御情報を受信する。この制御情報は、チャネル情報圧縮データＢと制御データＣを有する。チャネル情報展開部１４は、チャネル情報圧縮データＢと制御データＣを用いてチャネル情報を取得する。チャネル情報展開部１４は、取得したチャネル情報をプリコーディング部１１へ供給する。
【００１８】
ＭＩＭＯ受信機２は、受信部２１とチャネル推定部２２と受信処理部２３とチャネル情報圧縮部２４と制御情報送信部２５とチャネル情報圧縮制御部３０を有する。受信部２１は、複数の受信アンテナを有し、ＭＩＭＯ送信機１の複数の送信アンテナから送信された信号を複数の受信アンテナで受信する。チャネル推定部２２は、各受信アンテナの受信信号を用いてチャネル情報（ＣＳＩ）を推定する。受信処理部２３は、チャネル情報を用いて受信処理を行い、受信データ及び通信品質値Ｄを取得する。通信品質値Ｄとしては、例えば、通信スループット、周波数利用効率、ビットエラー率などが挙げられる。周波数利用効率は、通信スループットと周波数帯域幅とから算出される。
【００１９】
チャネル情報圧縮部２４は、チャネル推定部２２で推定されたチャネル情報を圧縮（情報のビット数の削減または情報の削除）してチャネル情報圧縮データＢを生成する。チャネル情報圧縮部２４は、チャネル情報圧縮制御部３０からフィードバック情報量Ａを受け取る。チャネル情報圧縮部２４は、フィードバック情報量Ａに基づいて、チャネル情報圧縮データＢのデータ量を決定する。
【００２０】
チャネル情報圧縮部２４は、チャネル情報圧縮データＢと制御データＣを制御情報送信部２５へ出力する。制御データＣは、チャネル情報圧縮データＢに係る圧縮方法を特定する情報である。制御データＣによって、チャネル情報圧縮データＢからチャネル情報を取得することができる。制御情報送信部２５は、チャネル情報圧縮データＢと制御データＣをＭＩＭＯ送信機１へ送信する。
【００２１】
チャネル情報圧縮制御部３０は、受信処理部２３から通信品質値Ｄを受け取る。チャネル情報圧縮制御部３０は、通信品質値Ｄに基づいて、フィードバック情報量Ａを決定する。
【００２２】
以下、本実施形態に係るチャネル情報圧縮制御部３０について実施例を挙げて説明する。
【実施例１】
【００２３】
図２は、本発明に係るチャネル情報圧縮制御部３０の実施例１である。図２において、チャネル情報圧縮制御部３０は、分析部３１とフィードバック情報量決定部３２とメモリ３３を有する。分析部３１は、通信品質値Ｄとフィードバック情報量Ａとの対応関係を求める。フィードバック情報量決定部３２は、通信品質値Ｄとフィードバック情報量Ａとの対応関係に基づいて、フィードバック情報量Ａを更新する。メモリ３３は、通信品質値Ｄとフィードバック情報量Ａとその対応関係を記憶する。
【００２４】
図３は、本実施例１に係る通信品質値Ｄとフィードバック情報量Ａとの対応関係のグラフ図である。本実施例１では、通信品質値Ｄとして周波数利用効率を用いる。分析部３１は、周波数利用効率とフィードバック情報量Ａとの対応関係を表す特性グラフＷを作成する。特性グラフＷはメモリ３３に格納される。フィードバック情報量決定部３２は、特性グラフＷに基づいて、フィードバック情報量Ａを更新する。本実施例１では、フィードバック情報量決定部３２は、特性グラフＷにおいて周波数利用効率の飽和点を検出し、該飽和点に対応するフィードバック情報量「ｘ」を求める。
【００２５】
次に、図４を参照して、図２に示すチャネル情報圧縮制御部３０の動作を説明する。図４は、本発明の実施例１に係るチャネル情報圧縮制御処理の流れを示すフローチャートである。
図４において、まずチャネル情報圧縮制御部３０は、通信準備段階として、特性グラフＷを作成する（ステップＳ１）を行う。この特性グラフ作成処理では、ＭＩＭＯ送信機１とＭＩＭＯ受信機２とが実際の通信を開始する前に、フィードバック情報量Ａを変化させながらＭＩＭＯ送信機１からＭＩＭＯ受信機２へのデータ送信（プリコーディング有り）を試行し、この試行結果から、通信品質値Ｄ（ここでは、周波数利用効率Ｄとする）とフィードバック情報量Ａとの対応関係の特性グラフＷを作成する。
【００２６】
ステップＳ１では、フィードバック情報量決定部３２が一定間隔でフィードバック情報量Ａを変化させ、分析部３１が特性グラフＷを作成する。
【００２７】
具体例を挙げて説明する。フィードバック情報量決定部３２は、フィードバック情報量Ａとして、圧縮前のチャネル情報の情報量に対する割合を１０％から１００％まで１０％刻みで、１０％、２０％、３０％、・・・、９０％、１００％と変化させる。チャネル情報圧縮部２４は、そのフィードバック情報量Ａに基づいて、チャネル情報圧縮データＢのデータ量を決定する。これにより、チャネル情報圧縮データＢは、一定間隔で圧縮率が変化する。フィードバック情報量Ａ「１０％」の場合は圧縮前のチャネル情報の情報量が１０％に圧縮される（圧縮率が９０％）。フィードバック情報量Ａ「２０％」の場合は圧縮前のチャネル情報の情報量が２０％に圧縮される（圧縮率が８０％）。フィードバック情報量Ａ「３０％」の場合は圧縮前のチャネル情報の情報量が３０％に圧縮される（圧縮率が７０％）。フィードバック情報量Ａが４０％から９０％までの場合も同様に圧縮率が６０％から１０％まで変化する。フィードバック情報量Ａ「１００％」の場合は、圧縮なし（圧縮率が０％）であり、チャネル情報圧縮データＢは圧縮前のチャネル情報のままである。なお、フィードバック情報量決定部３２は、フィードバック情報量Ａをメモリ３３に格納する。
【００２８】
ある圧縮率のチャネル情報圧縮データＢは、ＭＩＭＯ受信機２からＭＩＭＯ送信機１へ送られ、ＭＩＭＯ送信機１で展開されてチャネル情報としてプリコーディング部１１へ供給される。プリコーディング部１１は、該チャネル情報を用いて試行データをプリコーディングする。このプリコーディング後の試行データは、ＭＩＭＯ送信機１からＭＩＭＯ受信機２へ送信される。
【００２９】
ＭＩＭＯ受信機２では、ＭＩＭＯ送信機１から送信されたプリコーディング後の試行データを受信して周波数利用効率Ｄを取得する。チャネル情報圧縮制御部３０は、メモリ３３内のフィードバック情報量Ａに関連付けて周波数利用効率Ｄをメモリに格納する。これは、周波数利用効率Ｄがどのフィードバック情報量Ａを用いて取得されたものであるのかを特定するためである。分析部３１は、メモリ３３内の周波数利用効率Ｄとフィードバック情報量Ａの組を用いて、特性グラフＷを作成する。分析部３１は、特性グラフＷをメモリ３３に格納する。
【００３０】
ステップＳ２からＳ９までの処理は、ＭＩＭＯ送信機１とＭＩＭＯ受信機２とが実際の通信を行っている状態に実行されてもよい。
【００３１】
ステップＳ２では、フィードバック情報量決定部３２が、メモリ３３内の特性グラフＷを用いて、特性グラフＷにおける周波数利用効率の飽和点を検出する。次いで、ステップＳ３では、フィードバック情報量決定部３２が、特性グラフＷにおいて、周波数利用効率の飽和点に対応するフィードバック情報量を求める。フィードバック情報量決定部３２は、周波数利用効率の飽和点に対応するフィードバック情報量をフィードバック情報量Ａとしてチャネル情報圧縮部２４へ通知する。これにより、チャネル情報圧縮部２４は、そのフィードバック情報量Ａに基づいてチャネル情報圧縮データＢのデータ量を決定する。そして、ＭＩＭＯ送信機１とＭＩＭＯ受信機２との間で、該チャネル情報圧縮データＢを用いてプリコーディングされたデータ通信が行われる。
【００３２】
次いで、ステップＳ４では、分析部３１が、ステップＳ３で決定されたフィードバック情報量ＡによりＭＩＭＯ送信機１とＭＩＭＯ受信機２との間で行われた通信の実績（周波数利用効率Ｄ）に基づいて、特性グラフＷを更新する。次いで、ステップＳ５では、分析部３１が、更新前後の特性グラフＷを比較する。
【００３３】
次いで、ステップＳ６では、分析部３１が、ステップＳ５の比較の結果、更新前後の特性グラフＷにおける差が基準以上であるか否かを判定する。この判定の結果、更新前後の特性グラフＷにおける差が基準以上である場合（ステップＳ６、ＹＥＳ）はステップＳ７に進み、更新前後の特性グラフＷにおける差が基準未満である場合（ステップＳ６、ＮＯ）はステップＳ９に進む。
【００３４】
ステップＳ７では、チャネル情報圧縮制御部３０が、ＭＩＭＯ送信機１とＭＩＭＯ受信機２との間で実際の通信が行われているか否かを確認する。この確認の結果、通信中である場合（ステップＳ７、ＹＥＳ）はステップＳ８に進む。
【００３５】
一方、通信中ではない場合（ステップＳ７、ＮＯ）はステップＳ１に戻る。これは、更新前後の特性グラフＷにおける差が基準以上であるので、ステップＳ１によって特性グラフＷを作成し直すためである。
【００３６】
ステップＳ８では、フィードバック情報量決定部３２が、フィードバック情報量Ａを所定値に固定する。フィードバック情報量Ａの所定値は、通信品質上、問題ない値にする。例えば、フィードバック情報量Ａを１００％（圧縮なし：圧縮率が０％）に固定する。ここでは、更新前後の特性グラフＷにおける差が基準以上であるので、ステップＳ１によって特性グラフＷを作成し直すのであるが、通信中にはステップＳ１を実行することができないので、フィードバック情報量Ａを通信品質上の問題ない値に固定する。
【００３７】
ステップＳ９では、分析部３１が、更新後の特性グラフＷをメモリ３３に格納し、メモリ３３内の特性グラフＷを更新する。この後、ステップＳ２に戻る。ここでは、更新前後の特性グラフＷにおける差が基準未満であり問題なしであるので、以後、更新後の特性グラフＷを使用する。
【００３８】
本実施例１によれば、チャネル情報を圧縮してＭＩＭＯ受信機２からＭＩＭＯ送信機１へフィードバックするときのフィードバック情報量を調節することができる。又、フィードバック情報量と周波数利用効率との対応関係は無線環境によって異なるので、フィードバック情報量を調節することにより周波数利用効率を改善する効果が得られる。又、無用にフィードバック情報量を多くすることを抑制し、無線リソースの浪費を防止することができる。
【実施例２】
【００３９】
図５は、本発明に係るチャネル情報圧縮制御部３０の実施例２である。図５において、図２の各部に対応する部分には同一の符号を付け、その説明を省略する。実施例２では、フィードバック情報量決定部３２は、通信品質の要求値Ｅを満たす最小のフィードバック情報量Ａを求める。又、チャネル情報圧縮制御部３０の動作は、図４に示す実施例１と同様であるが、実施例２では、ステップＳ２及びＳ３の代わりに、フィードバック情報量決定部３２が通信品質の要求値Ｅに基づいてフィードバック情報量Ａを決定する。
【００４０】
図６は、本実施例２に係る通信品質値Ｄとフィードバック情報量Ａとの対応関係のグラフ図である。本実施例２では、通信品質値Ｄとして周波数利用効率を用いる。分析部３１は、周波数利用効率とフィードバック情報量Ａとの対応関係を表す特性グラフＷを作成する。特性グラフＷはメモリ３３に格納される。フィードバック情報量決定部３２は、特性グラフＷに基づいて、フィードバック情報量Ａを更新する。本実施例２では、フィードバック情報量決定部３２は、特性グラフＷにおいて周波数利用効率の要求値Ｅを満たす最小のフィードバック情報量を求める。
【００４１】
例えば、周波数利用効率の要求値Ｅがｙ２であった場合には、フィードバック情報量決定部３２は、特性グラフＷにおける周波数利用効率「ｙ２」に対応するフィードバック情報量「ｘ２」をフィードバック情報量Ａとして求める。又、周波数利用効率の要求値Ｅがｙ１であった場合には、フィードバック情報量決定部３２は、特性グラフＷにおける周波数利用効率「ｙ１」に対応するフィードバック情報量「ｘ１」をフィードバック情報量Ａとして求める。
【００４２】
周波数利用効率の要求値Ｅは、ユーザやアプリケーションなどによって変わる。例えば、ユーザが高速で大容量通信を行いたい場合や、ハイビジョンストリーミングのように高速のデータ通信が要求される場合などでは、比較的高い周波数利用効率が要求される。一方、ユーザが高速な通信を不要とする場合や、テキストメールのように高速のデータ通信が要求されない場合などでは、比較的低い周波数利用効率が要求される。本実施例２によれば、そのように変化する周波数利用効率の要求に対してフィードバック情報量Ａを調節することができる。
【００４３】
上述したように本実施形態によれば、チャネル情報を圧縮してＭＩＭＯ受信機２からＭＩＭＯ送信機１へフィードバックするときのフィードバック情報量を調節することができる。
【００４４】
また、図４に示す各ステップを実現するためのプログラムをコンピュータ読み取り可能な記録媒体に記録して、この記録媒体に記録されたプログラムをコンピュータシステムに読み込ませ、実行することにより、チャネル情報圧縮制御処理を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００４５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４６】
以上、本発明の実施形態について図面を参照して詳述してきたが、具体的な構成はこの実施形態に限られるものではなく、本発明の要旨を逸脱しない範囲の設計変更等も含まれる。
例えば、本発明に係る無線通信システムは、マルチキャリア伝送方式を使用するものであってもよく、又は、シングルキャリア伝送方式を使用するものであってもよい。マルチキャリア伝送方式としては、例えば、直交周波数分割多重（ＯＦＤＭ：Orthogonal Frequency Division Multiplexing）方式が挙げられる。また、本発明は、ＭＩＭＯシステム以外の無線通信システムに適用し、通信チャネルの状態を表すチャネル情報を情報圧縮することも可能である。
【符号の説明】
【００４７】
１…ＭＩＭＯ送信機、２…ＭＩＭＯ受信機、１１…プリコーディング部、１２…送信部、１３…制御情報受信部、１４…チャネル情報展開部、２１…受信部、２２…チャネル推定部、２３…受信処理部、２４…チャネル情報圧縮部、２５…制御情報送信部、３０…チャネル情報圧縮制御部、３１…分析部、３２…フィードバック情報量決定部、３３…メモリ
【図１】
2011171847.tif 000003
【図２】
2011171847.tif 000004
【図３】
2011171847.tif 000005
【図４】
2011171847.tif 000006
【図５】
2011171847.tif 000007
【図６】
2011171847.tif 000008